(57)【要約】【課題】コミュニケーション支援システムにおいて、ユーザが情報を予め登録しておく負担を削減することができ、また、システムによって支援を受けられるコミュニケーションの相手が、ユーザが予め登録した情報に該当する相手に限られるという制約を排除できるようにする。【解決手段】関連性取得部１２４が、携帯端末装置１１０−１の動作履歴に基づいて、当該携帯端末装置のユーザと他の携帯端末装置のユーザとの関連性を示す情報を生成し、通知情報生成部１２５は、当該情報に基づいて、当該他の携帯端末装置と近距離通信可能であることを通知するか否かを決定する。通知すると決定した場合、関連性取得部１２４は、当該他の携帯端末装置のユーザとの関連性を示す情報を表示する。【選択図】図１
2012208779.tif 000002
【特許請求の範囲】
【請求項１】
第１の携帯端末装置の動作情報を取得する動作情報取得ステップと、
前記第１の携帯端末装置の動作情報から、前記第１の携帯端末装置のユーザに関連する特徴情報を取得する特徴情報取得ステップと、
前記第１の携帯端末装置のユーザに関連する特徴情報に基づいて、前記第１の携帯端末装置のユーザと、他の携帯端末装置のユーザとの関連性を求める関連性取得ステップと、
前記第１の携帯端末装置のユーザと、他の携帯端末装置のユーザとの関連性を示す情報を、前記第１の携帯端末装置または前記他の携帯端末装置が表示する表示ステップと、
を具備することを特徴とするコミュニケーション支援方法。
【請求項２】
前記特徴情報取得ステップにて、前記第１の携帯端末装置の近距離通信履歴を生成し、
前記関連性取得ステップにて、前記第１の携帯端末装置の近距離通信履歴に基づいて、前記第１の携帯端末装置のユーザと、他の携帯端末装置のユーザとの関連性を求める、
ことを特徴とする請求項１に記載のコミュニケーション支援方法。
【請求項３】
前記関連性取得ステップにて、前記第１の携帯端末装置の近距離通信履歴に基づく近距離通信の偶然の度合いを示す指標である近距離通信偶然性を取得し、
前記近距離通信偶然性に基づいて、近距離通信における通信相手の携帯端末装置のユーザとの関連性を表示するか否かを決定する判定ステップを具備し、
前記判定ステップにて表示すると決定した場合に、前記表示ステップにて、前記近距離通信における通信相手の携帯端末装置を前記他の携帯端末装置として、前記第１の携帯端末装置のユーザと、他の携帯端末装置のユーザとの関連性を示す情報を表示する、
ことを特徴とする請求項２に記載のコミュニケーション支援方法。
【請求項４】
前記第１の携帯端末装置の位置情報を取得する位置情報取得ステップを具備し、
前記特徴情報取得ステップにて、前記第１の携帯端末装置の位置情報を含む前記第１の携帯端末装置の近距離通信履歴を生成し、
前記関連性取得ステップにて、前記第１の携帯端末装置の位置情報に基づいて前記近距離通信偶然性を取得する、
ことを特徴とする請求項３に記載のコミュニケーション支援方法。
【請求項５】
前記他の携帯端末装置の動作情報を取得する第２の動作情報取得ステップと、
前記他の携帯端末装置の動作情報から、前記他の携帯端末装置のユーザの行動の特徴を示すキーワードを取得する第２の特徴量情報取得ステップを具備し、
前記特徴情報取得ステップにて、前記第１の携帯端末装置のユーザの行動の特徴を示すキーワードを取得し、
前記関連性取得ステップにて、前記第１の携帯端末装置のユーザの行動の特徴と、前記他の携帯端末装置のユーザの行動の特徴との類似度を示す指標である行動共通性を取得し、
前記表示ステップにて、前記行動共通性が所定以上の共通性を示す前記他の携帯端末装置のユーザを示す情報を表示する、
ことを特徴とする請求項１に記載のコミュニケーション支援方法。
【請求項６】
携帯端末装置であって、
前記携帯端末装置自らの動作情報に基づく、前記携帯端末装置自らのユーザに関連する特徴情報に基づいて生成される、前記携帯端末装置自らのユーザと、他の携帯端末装置のユーザとの関連性を取得する関連性取得部と、
前記携帯端末装置自らのユーザと、他の携帯端末装置のユーザとの関連性を示す情報を表示する表示部と、
を具備することを特徴とする携帯端末装置。
【請求項７】
第１の携帯端末装置から送信される当該第１の携帯端末装置の動作情報を受信する受信部と、
前記第１の携帯端末装置の動作情報から、前記第１の携帯端末装置のユーザに関連する特徴情報を取得する特徴情報取得部と、
前記第１の携帯端末装置のユーザに関連する特徴情報に基づいて、前記第１の携帯端末装置のユーザと、他の携帯端末装置のユーザとの関連性を求める関連性取得部と、
前記第１の携帯端末装置のユーザと、他の携帯端末装置のユーザとの関連性を示す情報を、前記第１の携帯端末装置または前記他の携帯端末装置に送信する送信部と、
を具備することを特徴とするサーバ装置。
【請求項８】
第１の携帯端末装置と第２の携帯端末装置とを具備するコミュニケーション支援システムであって、
前記第１の携帯端末装置は、
前記第１の携帯端末装置の動作情報を取得する動作情報取得部と、
前記第１の携帯端末装置の動作情報から、前記第１の携帯端末装置のユーザに関連する特徴情報を取得する特徴情報取得部と、
前記第１の携帯端末装置のユーザに関連する特徴情報に基づいて、前記第１の携帯端末装置のユーザと、前記第２の携帯端末装置のユーザとの関連性を求める関連性取得部と、
を具備し、
前記第１の携帯端末装置または前記第２の携帯端末装置は、前記第１の携帯端末装置のユーザと、前記第２の携帯端末装置のユーザとの関連性を示す情報を表示する表示部を具備する、
ことを特徴とするコミュニケーション支援システム。
【請求項９】
第１の携帯端末装置と、第２の携帯端末装置と、サーバ装置とを具備するコミュニケーション支援システムであって、
前記第１の携帯端末装置は、
前記第１の携帯端末装置の動作情報を取得する動作情報取得部と、
前記第１の携帯端末装置の動作情報を送信する送信部と、
を具備し、
前記サーバ装置は、
前記第１の携帯端末装置の動作情報を受信する受信部と、
前記第１の携帯端末装置の動作情報から、前記第１の携帯端末装置のユーザに関連する特徴情報を取得する特徴情報取得部と、
前記第１の携帯端末装置のユーザに関連する特徴情報に基づいて、前記第１の携帯端末装置のユーザと、前記第２の携帯端末装置のユーザとの関連性を求める関連性取得部と、
前記第１の携帯端末装置のユーザと、前記第２の携帯端末装置のユーザとの関連性を示す情報を、前記第１の携帯端末装置または前記第２の携帯端末装置に送信する送信部と、
を具備し、
前記第１の携帯端末装置または前記第２の携帯端末装置は、前記第１の携帯端末装置のユーザと、前記第２の携帯端末装置のユーザとの関連性を示す情報を受信する受信部と、
前記受信部の受信する、前記第１の携帯端末装置のユーザと、前記第２の携帯端末装置のユーザとの関連性を示す情報を表示する表示部と、
を具備することを特徴とするコミュニケーション支援システム。
【請求項１０】
コンピュータに、
第１の携帯端末装置から送信される当該第１の携帯端末装置の動作情報を受信する受信ステップと、
前記第１の携帯端末装置の動作情報から、前記第１の携帯端末装置のユーザに関連する特徴情報を取得する特徴情報取得ステップと、
前記第１の携帯端末装置のユーザに関連する特徴情報に基づいて、前記第１の携帯端末装置のユーザと、他の携帯端末装置のユーザとの関連性を求める関連性取得ステップと、
前記第１の携帯端末装置のユーザと、他の携帯端末装置のユーザとの関連性を示す情報を、前記第１の携帯端末装置または前記他の携帯端末装置に送信する送信ステップと、
を実行させるためのプログラム。
【発明の詳細な説明】
【技術分野】
【０００１】
本発明は、携帯端末装置のユーザに対するコミュニケーション支援方法やコミュニケーション支援システム、当該コミュニケーション支援システムの具備する携帯端末装置やサーバ装置、コミュニケーション支援を行うためのプログラムに関する。
【背景技術】
【０００２】
新たなコミュニケーションを提供するための幾つかのシステムが提案されている。たとえば、特許文献１に記載の連絡支援システムは、第１のユーザが自己に関するキー・データを記録する記録手段と、この第１のユーザの自己に関するキー・データが第２のユーザに関するキー・データと一致または関連しているとき、そのことを第２のユーザに知らせるための告知手段とを含む。これにより、「偶然近くに居る」というチャンスを逃さずに、「実際のフェイス・ツー・フェイスの出会い」又は「連絡の支援」を実現できるようになるとされている。
【先行技術文献】
【特許文献】
【０００３】
【特許文献１】特開２００８−２８７７３１号公報
【発明の概要】
【発明が解決しようとする課題】
【０００４】
特許文献１に記載の連絡支援システムでは、第１のユーザが「出会い」又は「連絡の支援」の提供を受けられる対象となる相手は、当該第１のユーザが記録した、自己に関するキー・データに該当する相手に限られる。
【０００５】
例えば、特許文献１に記載の連絡支援システムにおいて、第１のユーザが、自己に関するキー・データとして当該第１のユーザの趣味を記録している場合、当該キー・データに基づいて共通する趣味の相手との出会いを実現し得る。一方、この第１のユーザの趣味のキー・データのみからは、当該第１のユーザと同じ場所に旅行に行った相手との出会いを実現することは出来ない。かかる出会いを実現するためには、旅行先を示すキー・データが必要となる。
しかし、様々なキー・データを記録しておくことは、第１のユーザの負担となる。また、第１のユーザに関するあらゆる情報をキー・データとして予め登録しておくことは、事実上不可能である。
【０００６】
結局、特許文献１に記載の連絡支援システムでは、上述のように、第１のユーザが「出会い」又は「連絡の支援」の提供を受けられる対象となる相手が、当該第１のユーザが記録した自己に関するキー・データに該当する相手に限られることから、当該第１のユーザが「出会い」又は「連絡の支援」を受けられる範囲が限定されてしまう。
【０００７】
本発明は、上述の課題を解決することのできるコミュニケーション支援方法、携帯端末装置、サーバ装置、コミュニケーション支援システムおよびプログラムを提供することを目的としている。
【課題を解決するための手段】
【０００８】
この発明は上述した課題を解決するためになされたもので、本発明の一態様によるコミュニケーション支援方法は、第１の携帯端末装置の動作情報を取得する動作情報取得ステップと、前記第１の携帯端末装置の動作情報から、前記第１の携帯端末装置のユーザに関連する特徴情報を取得する特徴情報取得ステップと、前記第１の携帯端末装置のユーザに関連する特徴情報に基づいて、前記第１の携帯端末装置のユーザと、他の携帯端末装置のユーザとの関連性を求める関連性取得ステップと、前記第１の携帯端末装置のユーザと、他の携帯端末装置のユーザとの関連性を示す情報を、前記第１の携帯端末装置または前記他の携帯端末装置が表示する表示ステップと、を具備することを特徴とする。
【０００９】
また、本発明の一態様による携帯端末装置は、前記携帯端末装置自らの動作情報に基づく、前記携帯端末装置自らのユーザに関連する特徴情報に基づいて生成される、前記携帯端末装置自らのユーザと、他の携帯端末装置のユーザとの関連性を取得する関連性取得部と、前記携帯端末装置自らのユーザと、他の携帯端末装置のユーザとの関連性を示す情報を表示する表示部と、を具備することを特徴とする。
【００１０】
また、本発明の一態様によるサーバ装置は、第１の携帯端末装置から送信される当該第１の携帯端末装置の動作情報を受信する受信部と、前記第１の携帯端末装置の動作情報から、前記第１の携帯端末装置のユーザに関連する特徴情報を取得する特徴情報取得部と、前記第１の携帯端末装置のユーザに関連する特徴情報に基づいて、前記第１の携帯端末装置のユーザと、他の携帯端末装置のユーザとの関連性を求める関連性取得部と、前記第１の携帯端末装置のユーザと、他の携帯端末装置のユーザとの関連性を示す情報を、前記第１の携帯端末装置または前記他の携帯端末装置に送信する送信部と、を具備することを特徴とする。
【００１１】
また、本発明の一態様によるコミュニケーション支援システムは、第１の携帯端末装置と第２の携帯端末装置とを具備するコミュニケーション支援システムであって、前記第１の携帯端末装置は、前記第１の携帯端末装置の動作情報を取得する動作情報取得部と、前記第１の携帯端末装置の動作情報から、前記第１の携帯端末装置のユーザに関連する特徴情報を取得する特徴情報取得部と、前記第１の携帯端末装置のユーザに関連する特徴情報に基づいて、前記第１の携帯端末装置のユーザと、前記第２の携帯端末装置のユーザとの関連性を求める関連性取得部と、を具備し、前記第１の携帯端末装置または前記第２の携帯端末装置は、前記第１の携帯端末装置のユーザと、前記第２の携帯端末装置のユーザとの関連性を示す情報を表示する表示部を具備する、ことを特徴とする。
【００１２】
また、本発明の一態様によるコミュニケーション支援システムは、第１の携帯端末装置と、第２の携帯端末装置と、サーバ装置とを具備するコミュニケーション支援システムであって、前記第１の携帯端末装置は、前記第１の携帯端末装置の動作情報を取得する動作情報取得部と、前記第１の携帯端末装置の動作情報を送信する送信部と、を具備し、前記サーバ装置は、前記第１の携帯端末装置の動作情報を受信する受信部と、前記第１の携帯端末装置の動作情報から、前記第１の携帯端末装置のユーザに関連する特徴情報を取得する特徴情報取得部と、前記第１の携帯端末装置のユーザに関連する特徴情報に基づいて、前記第１の携帯端末装置のユーザと、前記第２の携帯端末装置のユーザとの関連性を求める関連性取得部と、前記第１の携帯端末装置のユーザと、前記第２の携帯端末装置のユーザとの関連性を示す情報を、前記第１の携帯端末装置または前記第２の携帯端末装置に送信する送信部と、を具備し、前記第１の携帯端末装置または前記第２の携帯端末装置は、前記第１の携帯端末装置のユーザと、前記第２の携帯端末装置のユーザとの関連性を示す情報を受信する受信部と、前記受信部の受信する、前記第１の携帯端末装置のユーザと、前記第２の携帯端末装置のユーザとの関連性を示す情報を表示する表示部と、を具備することを特徴とする。
【００１３】
また、本発明の一態様によるプログラムは、コンピュータに、第１の携帯端末装置から送信される当該第１の携帯端末装置の動作情報を受信する受信ステップと、前記第１の携帯端末装置の動作情報から、前記第１の携帯端末装置のユーザに関連する特徴情報を取得する特徴情報取得ステップと、前記第１の携帯端末装置のユーザに関連する特徴情報に基づいて、前記第１の携帯端末装置のユーザと、他の携帯端末装置のユーザとの関連性を求める関連性取得ステップと、前記第１の携帯端末装置のユーザと、他の携帯端末装置のユーザとの関連性を示す情報を、前記第１の携帯端末装置または前記他の携帯端末装置に送信する送信ステップと、を実行させるためのプログラムである。
【発明の効果】
【００１４】
本発明によれば、ユーザが情報を予め登録しておく負担を削減することができ、また、システムによって支援を受けられるコミュニケーションの相手が、ユーザが予め登録した情報に該当する相手に限られるという制約を排除できる。
【図面の簡単な説明】
【００１５】
【図１】本発明の第１の実施形態におけるコミュニケーション支援システムの概略構成を示す構成図である。
【図２】同実施形態における、表示部の表示画面の例を示す説明図である。
【図３】同実施形態における、表示部の表示画面のもう１つの例を示す説明図である。
【図４】同実施形態において、動作情報取得部の生成する動作情報の例を示す説明図である。
【図５】同実施形態において、特徴情報取得部が生成して記憶部が記憶する動作履歴の例を示す説明図である。
【図６】同実施形態において、特徴情報取得部が生成して記憶部が記憶する特徴キーワードの例を示す説明図である。
【図７】同実施形態において、記憶部の記憶する動作履歴のもう１つの例を示す説明図である。
【図８】同実施形態において、記憶部の記憶する、ある携帯端末装置（端末１）の動作履歴の例を示す説明図である。
【図９】同実施形態において、記憶部の記憶する、端末１および他の携帯端末装置（端末３）の特徴キーワードの例を示す説明図である。
【図１０】同実施形態において、関連性取得部が生成する関連性情報の例を示す説明図である。
【図１１】同実施形態において、記憶部が記憶する、端末１の動作履歴のもう１つの例を示す図である。
【図１２】同実施形態において、記憶部が記憶する、端末１の動作履歴の、さらにもう１つの例を示す図である。
【図１３】同実施形態において、記憶部が記憶する、端末１の動作履歴の、さらにもう１つの例を示す図である。
【図１４】同実施形態において、携帯端末装置が行う処理手順の概略を示すフローチャートである。
【図１５】同実施形態において、サーバ装置が行う処理手順の概略を示すフローチャートである。
【図１６】本発明の第２の実施形態における、サーバ装置を具備しないコミュニケーション支援システムの概略構成を示す構成図である。
【図１７】同実施形態において、携帯端末装置が行う処理手順の概略を示すフローチャートである。
【発明を実施するための形態】
【００１６】
＜第１の実施形態＞
以下、図面を参照して、本発明の実施の形態について説明する。
図１は、本発明の第１の実施形態におけるコミュニケーション支援システムの概略構成を示す構成図である。同図において、コミュニケーション支援システム１は、携帯端末装置（第１の携帯端末装置）１１０−１と、携帯端末装置（第２の携帯端末装置、他の携帯端末装置）１１０−２と、サーバ装置１２０とを具備する。また、携帯端末装置１１０−１と、携帯端末装置１１０−２と、サーバ装置１２０とは、ネットワーク１３０に接続されて互いに通信を行う。
携帯端末装置１１０−１および１１０−２は、それぞれ、操作入力部１１１と、表示部１１２と、位置情報取得部１１３と、動作情報取得部１１４と、ネットワーク通信部（送信部、受信部）１１５と、近距離通信部１１６と、アプリケーション実行部１１７とを具備する。サーバ装置１２０は、通信部（送信部、受信部）１２１と、特徴情報取得部１２２と、記憶部１２３と、関連性取得部１２４と、通知情報生成部１２５とを具備する。
【００１７】
携帯端末装置１１０−１および１１０−２は、いずれもコミュニケーション支援サービスの提供を受けるユーザの所持する携帯端末装置であり、自らのユーザと他の携帯端末装置１１０のユーザとの関連性を示す情報（例えば、両ユーザに共通する好みを示すキーワード、あるいや、両ユーザの行動に関連性があるということを示す情報）を表示することによって、ユーザ間のコミュニケーションを支援する。
【００１８】
本実施形態では、コミュニケーション支援システム１の具備する携帯端末装置はいずれも同様の構造および同様の機能を有している。以下では、コミュニケーション支援システム１の具備する携帯端末装置をまとめて携帯端末装置１１０と表記する。携帯端末装置１１０は、近距離通信手段およびサーバ装置１２０との通信手段を備え、かつ、携帯可能な機器であり、例えば、携帯端末装置またはＰＤＡ（Personal Digital Assistant）として実現される。
なお、コミュニケーション支援システム１の具備する携帯端末装置１１０の数は、同図に示す２つに限らず、２つ以上であればよい。
【００１９】
操作入力部１１１は、例えばテンキーや方向ボタンや決定ボタンなどの操作ボタン、あるいはタッチパネルなどの入力デバイスを備えて、ユーザの入力操作を受け付け、受け付けた入力操作を示す情報をアプリケーション実行部１１７に出力する。
【００２０】
表示部１１２は、例えば液晶ディスプレイなどの表示画面を有し、アプリケーション実行部１１７の制御に従って、動画像や静止画像やテキストなど、各種画像を表示する。特に、表示部１１２は、自らの携帯端末装置１１０（当該表示部１１２を含んで構成される携帯端末装置１１０。以下同様に、ある部分を具備する携帯端末装置１１０を、当該部分との関係において「自らの携帯端末装置１１０」と称する。）のユーザと、他の携帯端末装置１１０のユーザとの関連性を示す情報（例えば、両ユーザに共通する好みを示すキーワード、あるいは、両ユーザの行動に関連性があるということを示す情報）を表示する。
【００２１】
図２は、表示部１１２の表示画面の例を示す説明図である。この画面は、自らの携帯端末装置１１０のユーザと、他の携帯端末装置１１０のユーザとの関連性を示す情報の一例である。
この画面は、自らの携帯端末装置１１０が、近傍に位置する（近距離通信可能な）他の携帯端末装置１１０を自動的に検出した際に表示する画面であり、当該他の携帯端末装置１１０と近距離通信可能であることを示している。ここで、携帯端末装置１１０は、後述するように、近距離通信を自動的に行うことで、近傍に位置する他の携帯端末装置１１０を検出する。
【００２２】
図２に示される「関連性ポイント」は、自らの携帯端末装置１１０のユーザの行動の特徴と、他の携帯端末装置１１０のユーザの行動との関連性（共通性や偶然性）を示す指標値である。すなわち、この関連性ポイントは、両ユーザの行動に関連性があるということを示す情報の一例である。
また、この画面は、関連性ポイントが所定の値以上の場合のみ表示される。すなわち、この画面自体が、両ユーザの行動に関連性があるということを示す情報の一例である。
【００２３】
また、同図に示される「偶然の地域」は、両ユーザが訪れたことのある地域から、普段生活している地域を除いた地域である。この偶然の地域は、旅行等で訪れた地域と考えられ、両ユーザが好む地域と考えられる。すなわち、この偶然の地域は、両ユーザに共通する好みを示すキーワードの一例である。
また、同図に示される「キーワード」は、両ユーザの行動（例えば旅行やウェブページの閲覧など）に共通する特徴を示すキーワードである。このキーワードは、ユーザの行動の特徴を示していることから、ユーザの好みに合致すると考えられる。すなわち、このキーワードは、両ユーザに共通する好みを示すキーワードの一例である。
【００２４】
このように、携帯端末装置１１０が、他の携帯端末装置１１０と通信可能であることを示すので、ユーザは、直ちに当該他の携帯端末装置１１０のユーザとの通信を試みることが出来る。また、携帯端末装置１１０が、自らのユーザの行動の特徴と関連性のある行動の特徴を有するユーザと通信可能であることを表示するので、ユーザは、好みが共通し、気が合う相手と通信できることを期待できる。また、携帯端末装置１１０は、両ユーザに共通する好みを示すキーワードを表示することにより、ユーザに話題を提供することができる。
このようにして、コミュニケーション支援システム１（携帯端末装置１１０）は、ユーザのコミュニケーションを支援する。
【００２５】
図３は、表示部１１２の表示画面のもう１つの例を示す説明図である。図２の画面と同様、この画面も、自らの携帯端末装置１１０のユーザと、他の携帯端末装置１１０のユーザとの関連性を示す情報の一例である。
この画面は、ユーザの要求に応じて携帯端末装置１１０（表示部１１２）が表示する画面である。
【００２６】
同図は、コミュニケーション支援システム１が５つ以上の携帯端末装置１１０を具備する場合における表示画面の例であり、ユーザ４人分の情報が、関連性ポイントによりランキングされて表示されている。そして、各人の情報には、図３の画面の場合と同様に、関連性ポイントと、偶然の地域と、キーワードとが含まれる。
【００２７】
このように、携帯端末装置１１０が、複数の他の携帯端末装置１１０のユーザの情報を、自らのユーザと当該他の携帯端末装置１１０のユーザとの関連性を示す情報を含めて表示するので、ユーザは、この関連性を示す情報に基づいて、気が合いそうな相手など、通信相手を選択することができる。また、図２の場合と同様、携帯端末装置１１０は、両ユーザに共通する好みを示すキーワードを表示することにより、ユーザに話題を提供することができる。
このようにして、コミュニケーション支援システム１（携帯端末装置１１０）は、ユーザのコミュニケーションを支援する。
【００２８】
位置情報取得部１１３は、例えばＧＰＳ（Global Positioning System）機能など、自らの携帯端末装置の位置情報を取得する機能を有し、アプリケーション実行部１１７が、地図表示など位置情報を用いるアプリケーションを実行する際に、位置情報を提供する。また、位置情報取得部１１３は、動作情報取得部１１４が動作情報を生成する際にも、位置情報を提供する。
【００２９】
アプリケーション実行部１１７は、ユーザの要求や着信などの所定の事象に応じて、自らの携帯端末装置１１０の各部を制御して、通話機能や電子メール機能やウェブ閲覧（Web Browsing）機能などのアプリケーションをユーザに提供する。なお、ここでいう「アプリケーション」（Application）とは、ＯＳ（Operating System）以外の各種ソフトウェアであるアプリケーションソフトウェア、または、アプリケーションソフトウェアの実行によって実現される機能である。
また、アプリケーション実行部１１７は、定期的に、近距離通信部１１６を用いて近距離通信可能な他の携帯端末装置１１０を検出する処理（以下、「自動近距離通信」と称する）を行って、検出結果に応じて後述する処理を行う。また、アプリケーション実行部１１７は、定期的に、自らの携帯端末装置１１０の位置情報を取得する処理（以下、「所在確認」と称する）を行って、取得した位置情報を動作情報取得部１１４に出力し、当該動作情報取得部１１４に、位置情報を含む動作情報を生成させる。
【００３０】
動作情報取得部１１４は、自らの携帯端末装置の動作を示す動作情報として、アプリケーション実行部１１７が行った処理の種類を示す情報を生成し、生成した動作情報を、ネットワーク通信部１１５に出力する。
アプリケーション実行部１１７と動作情報取得部１１４とは、例えば、自らの携帯端末装置１１０の具備するＣＰＵ（Central Processing Unit）が、同じく自らの携帯端末装置１１０の具備するメモリからプログラムを読み出して実行することにより実現される。
【００３１】
図４は、動作情報取得部１１４の生成する動作情報の例を示す説明図である。同図（ａ）は、ユーザの要求に応じて、アプリケーション実行部１１７がウェブページの表示を行った（表示部１１２にウェブページを表示させた）際の動作情報の例を示す。また、同図（ｂ）は、ユーザの要求に応じて、アプリケーション実行部１１７が電子メールを生成して送信した（ネットワーク通信部１１５に送信させた）際の動作情報の例を示す。また、同図（ｃ）は、アプリケーション実行部１１７が自動近距離通信を行って近距離通信可能な携帯端末装置１１０を検出した際の動作情報の例を示す。また、同図（ｄ）は、アプリケーション実行部１１７が所在確認を行った際の動作情報の例を示す。
【００３２】
同図に示すように、動作情報は、日時情報と、処理種類情報と、備考情報とを含む。日時情報は、アプリケーション実行部１１７が処理を行った日時を示す。処理種類情報は、アプリケーション実行部１１７が行った処理の種類を示す。
備考情報としては、当該処理に関する、より詳細な内容を示す付加情報が格納される。例えば、アプリケーション実行部１１７がウェブページの表示を行った場合、当該ウェブページに関連するキーワード（当該ウェブページの検索キーワード、または当該ウェブページの文章に含まれる単語など）が備考情報として格納される（同図（ａ））。
また、アプリケーション実行部１１７が電子メールを生成して送信した場合、当該電子メールのタイトルまたは本文に含まれる単語などのキーワードが備考情報として格納される（同図（ｂ））。
また、アプリケーション実行部１１７が自動近距離通信を行って近距離通信可能な携帯端末装置１１０を検出した場合、検出した携帯端末装置１１０を示す情報（同図（ｃ）の通信相手。例えば、携帯端末装置１１０が携帯電話機である場合、ＩＭＳＩ（International Mobile Subscriber Identity）などの識別情報を用いる）や、自動近距離通信を行った場所を示す情報（同図（ｃ）の場所情報）が備考情報として格納される。
また、アプリケーション実行部１１７が所在確認を行った場合、当該所在確認を行った場所を示す情報（同図（ｄ）の場所情報）や、当該場所で行われているイベントなど、場所に関連するキーワード（同図（ｄ）のキーワード）が備考情報として格納される。
【００３３】
同図（ｃ）や同図（ｄ）に示される場所情報や、同図に（ｄ）に示される場所に関連するキーワードは、例えば、位置情報取得部１１３が携帯端末装置１１０の位置情報として取得する緯度および経度に基づいて、緯度および経度と場所の名前とを対応付けて記憶するデータベースや、緯度および経度とキーワードとを対応付けて記憶するデータベースを検索して取得する。当該データベースは、例えば、サーバ装置１２０またはネットワーク１３０に接続される他のサーバが備える。
【００３４】
なお、これらの備考情報を、サーバ装置１２０が生成するようにしてもよい。例えば、アプリケーション実行部１１７がウェブページの表示を行った際、動作情報取得部１１４が、キーワードに換えて当該ウェブページのアドレスを含む動作情報を生成し、サーバ装置１２０が、当該アドレスに基づいてキーワードを取得するようにしてもよい。これにより、携帯端末装置１１０が備えるべき機能を削減し、携帯端末装置１１０の構成を簡単化することができる。
【００３５】
ネットワーク通信部１１５は、ネットワーク１３０に無線通信にて接続され、サーバ装置１２０や他の携帯端末装置１１０と通信を行う。例えば、ネットワーク１３０は携帯電話通信網を含み、ネットワーク通信部１１５は、Ｗ−ＣＤＭＡ（Wideband Code Division Multiple Access）など携帯電話の通信規格に従って無線通信を行う。
特に、ネットワーク通信部１１５は、動作情報取得部１１４の生成する動作情報をサーバ装置１２０に送信し、また、サーバ装置１２０から送信される表示用データ等を受信してアプリケーション実行部１１７に出力する。
【００３６】
近距離通信部１１６は、例えば赤外線通信機能またはＢｌｕｅｔｏｏｔｈ（登録商標）などの近距離無線通信機能を有し、通信可能範囲内に位置する他の携帯端末装置１１０と通信を行う。近距離通信部１１６は、ユーザの要求に応じて、アプリケーション実行部１１７の制御に従って他の携帯端末装置１１０と通信を行う。また、近距離通信部１１６は、アプリケーション実行部１１７が、自らの携帯端末装置１１０の近傍に位置する他の携帯端末装置１１０を検出する処理である自動近距離無線通信を行う際に、通信を試みることによって他の携帯端末装置１１０を検出する。
【００３７】
サーバ装置１２０は、携帯端末装置１１０から送信される動作情報や一覧表示要求に応じて、当該携帯端末装置１１０のユーザにコミュニケーション支援情報として提供すべき情報を生成して送信する。
通信部１２１は、ネットワーク１３０に接続されて、携帯端末装置１１０と通信を行う。特に、通信部１２１は、携帯端末装置１１０から送信される動作情報や一覧表示要求を受信して、動作情報を特徴情報取得部１２２に出力し、一覧表示要求を関連性取得部１２４に出力する。また、通信部１２１は、通知情報生成部１２５から出力される、携帯端末装置１１０に対する表示用データ（当該携帯端末装置１１０のユーザにコミュニケーション支援情報として提供すべき情報）を、当該携帯端末装置１１０に送信する。
【００３８】
記憶部１２３は、各携帯端末装置１１０のユーザに関連する特徴情報として、当該携帯端末装置１１０の動作履歴や、当該携帯端末装置１１０のユーザの行動の特徴を示すキーワード（以下、「特徴キーワード」と称する）を記憶する。
特徴情報取得部１２２は、通信部１２１の受信する動作情報に基づいて、記憶部１２３の記憶する動作履歴や特徴キーワードを生成（更新）する。
【００３９】
図５は、特徴情報取得部１２２が生成して記憶部１２３が記憶する動作履歴の例を示す説明図である。同図に示すように、動作履歴は表形式のデータ構成を有し、各行が携帯端末装置１１０から送信される動作情報に相当する。記憶部１２３は、携帯端末装置１１０毎に動作履歴を記憶する。
例えば、特徴情報取得部１２２は、携帯端末装置１１０から送信される動作情報を、記憶部１２３の記憶する動作履歴の末尾に追加する。これにより、記憶部１２３は、図５に示すように動作情報が時間順に並べられた動作履歴を記憶する。
【００４０】
図６は、特徴情報取得部１２２が生成して記憶部１２３が記憶する特徴キーワードの例を示す説明図である。同図に示すように、特徴キーワードは、幾つかのキーワードを含み、記憶部１２３は、携帯端末装置１１０毎に特徴キーワードを記憶する。
特徴キーワードは、例えば、動作履歴において所定以上の頻度で出現するキーワードによって構成される。例えば、特徴情報取得部１２２は、図５（ａ）に示す携帯端末装置１１０−１の動作履歴において、キーワード「サッカー」が所定以上の頻度で出現することを検出し、図６（ａ）に示すように、携帯端末装置１１０−１の特徴キーワードに、キーワード「サッカー」を含める。同様に、特徴情報取得部１２２は、図５（ｂ）に示す携帯端末装置１１０−２の動作履歴において、キーワード「サッカー」が所定以上の頻度で出現することを検出し、図６（ｂ）に示すように、携帯端末装置１１０−２の特徴キーワードに、キーワード「サッカー」を含める。
このように、特徴キーワードは、アプリケーション実行部１１７の行う処理の特徴を示すキーワードである。この特徴キーワードは、アプリケーション実行部１１７に処理を要求する当該携帯端末装置１１０のユーザの行動の特徴を示すキーワードであり、当該ユーザの好みを示すキーワードであると考えられる。
【００４１】
関連性取得部１２４は、記憶部１２３の記憶する動作履歴や特徴キーワードに基づいて、携帯端末装置１１０のユーザ間の関連性を示す情報（以下、「関連性情報」と称する）を生成する。関連性情報の詳細については後述する。
関連性取得部１２４は、生成した関連性情報を通知情報生成部１２５に出力する。
【００４２】
通知情報生成部１２５は、関連性取得部１２４の生成する関連性情報に基づいて、携帯端末装置１１０に表示させる表示用データなど、携帯端末装置１１０に送信するデータを生成する。例えば、通知情報生成部１２５は、図２に示した画面あるいは図３に示した画面を、携帯端末装置１１０が表示するよう指示する表示用データを生成する。
通知情報生成部１２５は、生成したデータを通信部１２１に出力し、通信部１２１は、当該データを携帯端末装置１１０に送信する。
【００４３】
次に、図７〜図１３を参照して、関連性取得部１２４の行う処理について、より詳細に説明する。
まず、図７を参照して、関連性取得部１２４が行う、「普段生活している地域」および「稀に訪れた地域」の判定について説明する。
図７は、記憶部１２３の記憶する動作履歴のもう１つの例を示す説明図である。
同図に示す処理種類の「所在確認」は、図４で説明したように、アプリケーション実行部１１７が所在確認を行った際の履歴である。
【００４４】
関連性取得部１２４は、各携帯端末装置１１０について、当該携帯端末装置１１０の動作履歴のうち所在確認において示される場所のうち、頻出する場所（出現頻度が所定の閾値以上の場所）を、当該携帯端末装置１１０のユーザが「普段生活している地域」であると判定し、それ以外の場所（出現頻度が上記閾値未満の場所）を、当該携帯端末装置１１０のユーザが「稀に訪れた地域」であると判定する。
例えば、図７の動作履歴において、「六本木」の出現頻度が閾値以上である場合、関連性取得部１２４は、六本木を、当該携帯端末装置１１０のユーザが普段生活している地域であると判定する。一方、「赤坂」の出現頻度が閾値未満である場合、関連性取得部１２４は、赤坂を、当該携帯端末装置１１０のユーザが稀に訪れた地域であると判定する。
【００４５】
ユーザが稀に訪れた地域は、当該ユーザにとって、普段生活している地域よりも印象に残っていることが期待でき、携帯端末装置１１０が当該地域を表示することにより、ユーザが他のユーザとコミュニケーションをとる際の話題を発見できることが期待できる。
また、ユーザが稀に訪れた地域は、旅行や娯楽等で訪れた地域であることが考えられ、当該ユーザが好きな地域であることが考えられる。そして、このユーザが稀に訪れた地域に関連付けられているキーワードは、当該ユーザの好みを示すキーワードであることが考えられる。
そこで、関連性取得部１２４は、携帯端末装置１１０毎に稀に訪れた地域を抽出し、抽出した稀に訪れた地域を用いて、後述する「偶然の地域」の情報や、当該偶然の地域に関連するキーワードの情報を生成する。
なお、関連性取得部１２４が関連性情報を生成するのに先立って、特徴情報取得部１２２が、稀に訪れた地域や、当該地域に関連付けられたキーワードを抽出しておき、記憶部１２３がこれらの地域やキーワードを記憶しておくようにしてもよい。これにより、関連性取得部１２４は、より迅速に関連性情報を生成することができる。
【００４６】
次に、図８〜図１３を参照して、関連性取得部１２４の生成する関連性情報について説明する。
図８は、記憶部１２３の記憶する、ある携帯端末装置１１０（端末１）の動作履歴の例を示す説明図である。
また、図９は、記憶部１２３の記憶する、端末１および他の携帯端末装置１１０（端末３）の特徴キーワードの例を示す説明図である。
また、図１０は、関連性取得部１２４が生成する関連性情報の例を示す説明図である。
【００４７】
端末１と端末３とに関する関連性情報を生成する場合、関連性取得部１２４は、まず、これらの携帯端末装置１１０の行動履歴を参照して、図７で説明した「普段生活している地域」を判定する。以下の説明では、端末１のユーザの普段生活している地域が六本木であるものとし、端末３のユーザの普段生活している地域が吉祥寺であるものとする。
【００４８】
次に、関連性取得部１２４は、端末１または端末３の何れかの動作履歴（例えば、表示用データの送信先である端末１の動作履歴（図８））から、端末１と端末３との間で行われた自動近距離通信の履歴を抽出する。図８の例の場合、関連性取得部１２４は、行Ｌ１１〜Ｌ１４に示される履歴を抽出する。
【００４９】
そして、関連性取得部１２４は、抽出した自動近距離通信の履歴から、端末１のユーザの普段生活している地域および端末３のユーザの普段生活している地域を除いた地域の情報を抽出する。ここで抽出される地域は、端末１のユーザ、端末３のユーザ共に「稀に訪れた地域」である。以下では、この複数のユーザに共通する「稀に訪れた地域」を、「偶然の地域」と称する。
【００５０】
図８の例の場合、関連性取得部１２４は、行Ｌ１４の六本木（端末１のユーザの普段生活している地域）を除いた、札幌（行Ｌ１１）と、神戸（行Ｌ１２）と、徳島（行Ｌ１３）とを抽出する。そして、関連性取得部１２４は、図１０に示すように、抽出した地域を、偶然の地域として関連性情報に含める。
【００５１】
次に、関連性取得部１２４は、抽出した偶然の地域の各々について、端末１と端末３との間で自動近距離通信を行った時点において当該地域で行われていたイベントなど、当該地域および時刻における特徴を示すキーワード（以下では、「偶然の地域関連キーワード」と称する）を取得する。
【００５２】
例えば、関連性取得部１２４は、端末１の動作履歴（図８）に含まれる所在確認の履歴から、偶然の地域として抽出された自動近距離通信と、場所が一致し、かつ、時刻の差が所定の範囲内の履歴を参照して、偶然の地域関連キーワードを取得する。例えば、行Ｌ１１の自動近距離通信の履歴に対して、場所が「札幌」で一致し、時刻も所定の範囲内（例えば同日）の行Ｌ２１の所在確認の履歴を参照して、当該行Ｌ２１に含まれるキーワード「雪祭り」を、偶然の地域関連キーワード（の１つ）として取得する。同様に、関連性取得部１２４は、行Ｌ２２および行Ｌ２３からもキーワードを取得して、図１０に示す偶然の地域関連キーワードを生成し、関連性情報に含める。
【００５３】
また、関連性取得部１２４は、端末１の特徴キーワードおよび端末３の特徴キーワード（図９）に共通するキーワード「クリスマス」を取得し、図１０に示す「共通する特徴キーワード」のように、関連性情報に含める。
【００５４】
また、関連性取得部１２４は、端末１（のユーザ）と端末３（のユーザ）との間の近距離通信偶然性を算出し、関連性情報に含める。ここでいう「近距離通信偶然性」は、複数の携帯端末装置１１０の間で行われた近距離通信の偶然の度合いを示す指標である。関連性取得部１２４は、例えば、自らの携帯端末装置１１０（ここでは端末１）の近距離通信履歴から、相手の携帯端末装置１１０（ここでは端末３）との間で行われた近距離通信の履歴を抽出し、抽出した履歴に基づいて、近距離通信偶然性を算出する。
【００５５】
例えば、端末１と端末３との間の偶然の地域（すなわち、端末１のユーザと端末３のユーザとに共通する、稀に訪れた地域）の数が多く、かつ、端末１のユーザが稀に訪れた地域に占める、端末１と端末３との間の偶然の地域の割合が大きく、かつ、端末３のユーザが稀に訪れた地域に占める、端末１と端末３との間の偶然の地域の割合が大きい場合、関連性取得部１２４は、４段階評価の「４」を算出する。ここでは、近距離通信偶然性の値が大きいほど偶然の度合いが高いことを示している。
【００５６】
さらに、関連性取得部１２４は、上述した「共通する特徴キーワード」および「偶然の地域関連キーワード」の共通の度合いを示す指標値である「キーワード共通性」を算出し、関連性情報に含める。
例えば、関連性取得部１２４は、共通する特徴キーワードおよびキーワード偶然の地域関連キーワードの数が多いほど大きい値のキーワード共通性を算出するものとし、図１０の例では、３段階評価の「２」を算出する。ここでは、キーワード共通性の値が大きいほど共通の度合いが高いことを示している。
【００５７】
この近距離通信偶然性とキーワード共通性とは、図２および図３に示す関連性ポイントを、通知情報生成部１２５が算出する元データとなる。例えば、通知情報生成部１２５は、近距離通信偶然性とキーワード共通性とを足し合わせて、７段階評価による関連性ポイントを算出する。
【００５８】
関連性取得部１２４は、さらに、表示用情報の送信先の携帯端末装置１１０（例えば、端末３と自動近距離通信を行った行動情報の発信元である端末１）の識別情報と、判定対象の携帯端末装置１１０（例えば、自動近距離通信における通信相手である端末３）の識別情報を関連性情報に含めて図１０に示すような関連性情報を生成し、当該関連性情報を通知情報生成部１２５に出力する。
【００５９】
なお、関連性取得部１２４が近距離通信偶然性を算出する際の、偶然の度合いの評価基準として、様々なものを適用可能である。以下、図１１〜図１３を参照して、関連性取得部１２４による偶然の度合いの評価基準について説明する。
【００６０】
例えば、関連性取得部１２４が、自動近距離通信の時間間隔に基づいて、偶然の度合いを評価するようにしてもよい。
図１１は、記憶部１２３が記憶する、端末１の動作履歴のもう１つの例を示す図である。
同図において、端末７との自動近距離通信（行Ｌ３１および行Ｌ３３）の時間間隔は、１年以上と長い。一方、端末８との自動近距離通信（行Ｌ３２および行Ｌ３４）の時間間隔は、１２日と短い。
【００６１】
この端末７のように自動近距離通信の時間間隔が長い場合、端末１と端末７とはあまり接近していない点で、両者が接近した際の偶然の度合いは高いと評価できる。一方、端末８のよう自動近距離通信の時間間隔が短い場合、端末１と端末８とは頻繁に接近している点で、両者が接近した際の偶然の度合いは低いと評価できる。
【００６２】
そこで、ある携帯端末装置１１０が、特定の他の携帯端末装置１１０と、前回自動近距離通信を行った時、もしくは、当該他の携帯端末装置１１０と頻繁に近距離通信を行っていた時から、長時間経過した後に（所定の閾値の時間以上経過した後に）、当該他の携帯端末装置１１０との今回の自動近距離通信を行った場合は、関連性取得部１２４が、近距離通信偶然性の値を比較的大きく算出するようにし、逆に、ある携帯端末装置１１０が、特定の他の携帯端末装置１１０と、前回自動近距離通信を行った時、もしくは、当該他の携帯端末装置１１０と頻繁に近距離通信を行っていた時から、あまり時間が経たないうちに（所定の閾値の時間が経過しないうちに）、当該他の携帯端末装置１１０との今回の自動近距離通信を行った場合は、関連性取得部１２４が、近距離通信偶然性の値を比較的小さく算出するようにしてもよい。
【００６３】
あるいは、関連性取得部１２４が、自動近距離通信の行われた場所の距離に基づいて、偶然の度合いを評価するようにしてもよい。
図１２は、記憶部１２３が記憶する、端末１の動作履歴の、さらにもう１つの例を示す図である。
同図において、端末９と間で行われた、行Ｌ４１の自動近距離通信と、行Ｌ４３の自動近距離通信とは、六本木と神戸という離れた場所で行われている。一方、端末１０との間で行われた、行Ｌ４２の自動近距離通信と、行Ｌ４４の自動近距離通信とは、赤坂と六本木という近い場所で行われている。
【００６４】
この端末９のように離れた場所で自動近距離通信を行っている場合、端末１のユーザと端末９のユーザとが、同時に離れた場所に移動している点で、両者が接近した際の偶然の度合いは高いと評価できる。一方、端末１０のように近い場所で自動近距離通信を行っている場合、端末１のユーザと端末１０のユーザとは、同時に近い場所に移動しているに過ぎず、両者が接近した際の偶然の度合いは低いと評価できる。
【００６５】
そこで、ある携帯端末装置１１０が、特定の他の携帯端末装置１１０と、前回自動近距離通信を行った場所、もしくは、当該他の携帯端末装置１１０と頻繁に近距離通信を行っていた場所から遠い場所で（所定の距離以上の場所で）、当該他の携帯端末装置１１０との今回の自動近距離通信を行った場合は、関連性取得部１２４が、近距離通信偶然性の値を比較的大きく算出するようにし、逆に、ある携帯端末装置１１０が、特定の他の携帯端末装置１１０と、前回自動近距離通信を行った場所、もしくは、当該他の携帯端末装置１１０と頻繁に近距離通信を行っていた場所に、近い場所で（所定の距離未満の場所で）、当該他の携帯端末装置１１０との今回の自動近距離通信を行った場合は、関連性取得部１２４が、近距離通信偶然性の値を比較的小さく算出するようにしてもよい。
【００６６】
あるいは、関連性取得部１２４が、自動近距離通信の行われた場所の関連性に基づいて、偶然の度合いを評価するようにしてもよい。
図１３は、記憶部１２３が記憶する、端末１の動作履歴の、さらにもう１つの例を示す図である。
同図において、端末１１との間で行われた、行Ｌ５１の自動近距離通信と、行Ｌ５３の自動近距離通信とは、図書館と書店という関連性の高い場所（共に書籍を扱う場所）で行われている。一方端末１２との間で行われた、行Ｌ５２の自動近距離通信と、行Ｌ５４の自動近距離通信とは、図書館とスポーツジムという関連性の低い場所で行われている。
【００６７】
この端末１１のように関連性の高い場所で自動近距離通信を行っている場合、端末１のユーザと端末１１のユーザとが、関連性の高い場所へ同時に移動することは、偶然の度合いが比較的低いと言える点で、両者が接近した際の偶然の度合いは低いと評価できる。一方、端末１２のように関連性の低い場所で自動近距離通信を行っている場合、端末１のユーザと端末１２のユーザとが、関連性の低い場所へ同時に移動することは、偶然の度合いが比較的高いと言える点で、両者が接近した際の偶然の度合いは高いと評価できる。
【００６８】
そこで、ある携帯端末装置１１０が、特定の他の携帯端末装置１１０と、前回自動近距離通信を行った場所、もしくは、当該他の携帯端末装置１１０と頻繁に近距離通信を行っていた場所と、当該他の携帯端末装置１１０との今回の自動近距離通信を行った場所との関連性が高い場合は、関連性取得部１２４が、近距離通信偶然性の値を比較的大きく算出するようにし、逆に、ある携帯端末装置１１０が、特定の他の携帯端末装置１１０と、前回自動近距離通信を行った場所、もしくは、当該他の携帯端末装置１１０と頻繁に近距離通信を行っていた場所と、当該他の携帯端末装置１１０との今回の自動近距離通信を行った場所との関連性が低い場合は、関連性取得部１２４が、近距離通信偶然性の値を比較的小さく算出するようにしてもよい。ここで、場所の関連性の高低は、例えば、携帯端末装置１１０が、場所の種類毎に関連性の高低を定めたテーブルを予め備えておき、当該テーブルを参照して求める。
【００６９】
さらには、関連性取得部１２４が、上述した偶然の度合いの評価基準を複数組み合わせて用いて、近距離通信偶然性を算出するようにしてもよい。
【００７０】
次に、図１４〜図１５を参照して、コミュニケーション支援システム１の動作について説明する。
図１４は、携帯端末装置１１０が行う処理手順の概略を示すフローチャートである。携帯端末装置１１０は、電源を投入（ＯＮ）されて起動すると、同図の処理を開始する。
まず、アプリケーション実行部１１７は、操作入力部１１１が受け付けるユーザの操作入力を確認する（ステップＳ１０１）。例えば、操作入力部１１１は、操作入力を受け付けるとバッファに書き込み、アプリケーション実行部１１７は、当該バッファから、操作入力部１１１の受け付けた操作入力を示す情報を、書き込まれた時刻の早い順（古い順）に読み出す。
【００７１】
そして、アプリケーション実行部１１７は、操作入力部１１１が、一覧表示を要求する操作入力を受け付けたか否かを判定する（ステップＳ１０２）。ここでいう一覧表示は、図３の表示画面のように、他の携帯端末装置１１０のユーザを関連性ポイントによってランキングした一覧表示である。
一覧表示を要求する操作入力を受け付けたと判定した場合（ステップＳ１０１：ＹＥＳ）、アプリケーション実行部１１７は、一覧表示要求を受けたことを示す信号をネットワーク通信部１１５に出力し、ネットワーク通信部１１５は、当該信号をサーバ装置１２０宛に送信する（ステップＳ１１１）。
【００７２】
そして、アプリケーション実行部１１７は、ネットワーク通信部１１５が、サーバ装置１２０から送信される一覧表示用のデータを受信するのを待ち受ける（ステップＳ１１２）。
ネットワーク通信部１１５は、一覧表示用のデータを受信すると、当該データをアプリケーション実行部１１７に出力する。そして、アプリケーション実行部１１７は、当該データに基づいて一覧表示画面データを生成して表示部１１２に出力する。表示部１１２は、当該一覧表示画面データに従って一覧表示を行う（ステップＳ１１３）。その後、ステップＳ１２１に進む。
【００７３】
一方、ステップＳ１０２において、一覧表示を要求する操作入力を受け付けていないと判定した場合（ステップＳ１０１：ＮＯ）、アプリケーション実行部１１７は、操作入力部１１１が、アプリケーション処理を要求する操作入力を受け付けたか否かを判定する（ステップＳ１２１）。
ここでいうアプリケーション処理とは、アプリケーションの起動および終了や、実行中のアプリケーションにおける何らかの処理を含む。例えば、ウェブブラウザ・アプリケーションの起動や、当該アプリケーションの終了や、当該アプリケーションにおけるウェブページの表示要求などが、アプリケーション処理に含まれる。
【００７４】
アプリケーション処理を要求する操作入力を受け付けたと判定した場合（ステップＳ１２１：ＹＥＳ）、アプリケーション実行部１１７は、当該アプリケーション処理を実行し、処理の種類を示す情報（図４等で説明した処理種類）、および、処理の種類に応じた付加情報（例えば、図４（ａ）におけるキーワード）を動作情報取得部１１４に出力する（ステップＳ１３１）。
そして、動作情報取得部１１４は、アプリケーション実行部１１７から出力される当該情報に基づいて、図４で説明したような動作情報を生成し、ネットワーク通信部１１５に出力する（ステップＳ１６１）。ネットワーク通信部１１５は、動作情報取得部１１４から出力される動作情報を、サーバ装置１２０宛に送信する（ステップＳ１６２）。
その後、ステップＳ１０１に戻り、同図の処理を繰り返す。
【００７５】
一方、ステップＳ１２１において、アプリケーション処理を要求する操作入力を受け付けていないと判定した場合（ステップＳ１２１：ＮＯ）、アプリケーション実行部１１７は、自らの携帯端末装置１１０の位置情報を取得する処理である所在確認を行う時刻が到来したか否かを判定する（ステップＳ１４１）。例えば、アプリケーション実行部１１７は定期的に所在確認を行う。そのために、アプリケーション実行部１１７はタイマを具備し、前回所在確認を行ってからの経過時間を測定する。そして、アプリケーション実行部１１７は、前回所在確認を行ってから所定時間が経過したときに、所在確認を行う時刻が到来したと判定する。
【００７６】
所在確認を行う時刻が到来したと判定した場合（ステップＳ１４１：ＹＥＳ）、アプリケーション実行部１１７は、自らの携帯端末装置１１０の位置情報を位置情報取得部１１３から取得し、当該位置情報を動作情報取得部１１４に出力する（ステップＳ１５１）。その後、ステップＳ１６１に進む。
一方、ステップＳ１４１において、所在確認を行う時刻が到来していないと判定した場合（ステップＳ１４１：ＮＯ）、アプリケーション実行部１１７は、自動近距離通信により近距離通信可能な携帯端末装置１１０を検出する処理である端末検出を行う時刻が到来したか否かを判定する（ステップＳ１７１）。例えば、所在確認の場合と同様、アプリケーション実行部１１７はタイマを具備し、前回端末検出を行ってからの経過時間を測定する。そして、アプリケーション実行部１１７は、前回端末検出を行ってから所定時間が経過したときに、端末検出を行う時刻が到来したと判定する。なお、端末検出における所定時間は、所在確認における所定時間と同じであってもよいし、異なっていてもよい。
【００７７】
端末確認を行う時刻が到来したと判定した場合（ステップＳ１７１：ＹＥＳ）、アプリケーション実行部１１７は、自動近距離通信を行って他の携帯端末装置１１０の検出を試みる。すなわち、近距離通信部１１６が、近距離通信用の信号を送信し、所定時間のあいだ、他の携帯端末装置１１０からの返信信号を待ち受ける。そして、アプリケーション実行部１１７は、近距離通信可能な他の携帯端末装置１１０の有無を判定する（ステップＳ１８２）。
【００７８】
近距離通信可能な他の携帯端末装置１１０有りと判定した場合（ステップＳ１８２：ＹＥＳ）、アプリケーション実行部１１７は、自らの携帯端末装置１１０の位置情報を位置情報取得部１１３から取得する（ステップＳ１９１）。
そして、アプリケーション実行部１１７は、処理の種類として「自動近距離通信」と、付加情報として、自らの携帯端末装置１１０の位置情報、および、近距離通信可能な他の携帯端末装置１１０の識別情報とを、動作情報取得部１１４に出力する。動作情報取得部１１４は、図４（ｃ）に示す動作情報のように、近距離通信可能な他の携帯端末装置１１０の識別情報と、自らの携帯端末装置１１０の場所情報とを含む動作情報を生成し、ネットワーク通信部１１５に出力する（ステップＳ１９２）。ネットワーク通信部１１５は、動作情報取得部１１４から出力された位置情報を、サーバ装置１２０宛に送信する（ステップＳ１９３）。
【００７９】
そして、アプリケーション実行部１１７は、ネットワーク通信部１１５が、サーバ装置１２０から送信される、近距離通信可能である旨の表示を行うか否かの判定結果を待ち受ける（ステップＳ１９４）。
ネットワーク通信部１１５は、サーバ装置１２０から判定結果を受信すると、当該判定結果をアプリケーション実行部１１７に出力する。そして、アプリケーション実行部１１７は、当該判定結果に基づいて、近距離通信可能である旨の表示を行うか否かを判定する（ステップＳ１９５）。
【００８０】
近距離通信可能である旨の表示を行うと判定した場合（ステップＳ１９５：ＹＥＳ）、アプリケーション実行部１１７は、サーバ装置１２０から送信された判定結果から表示用データを読み出し、当該データに基づいて、図２で説明したような、他の携帯端末装置１１０と近距離通信可能であることを通知する表示画面データを生成して表示部１１２に出力する。表示部１１２は、当該表示画面データに従って表示を行う（ステップＳ２０１）。その後、ステップＳ１０１に戻り、同図の処理を繰り返す。
【００８１】
一方、ステップＳ１７１において、端末確認を行う時刻が到来していないと判定した場合（ステップＳ１７１：ＮＯ）や、ステップＳ１８２において、近距離通信可能な他の携帯端末装置１１０無しと判定した場合（ステップＳ１８２：ＮＯ）や、ステップＳ１９５において、近距離通信可能である旨の表示を行わないと判定した場合（ステップＳ１９５：ＮＯ）は、ステップＳ１０１に戻り、同図の処理を繰り返す。
【００８２】
なお、ステップＳ２０１において、携帯端末装置１１０が、他の携帯端末装置１１０と近距離通信可能であることの通知に加えて、コミュニケーション手段の起動支援を行うようにしてもよい。これにより、ユーザは、より簡単な操作で、当該他の携帯端末装置１１０のユーザと通信を行うことができる。
【００８３】
例えば、表示部１１２が、図２の画面を表示する際に、さらに、近距離通信ボタンと、電子メールボタンとを表示する。
そして、近距離通信ボタンに対するタッチ操作など、近距離通信ボタンを選択する操作が行われると、アプリケーション実行部１１７がチャットアプリケーションを起動し、近距離通信部１１６を介して他の携帯端末装置１１０（図２の例では、山田さんの携帯端末装置）との間で近距離通信を確立して、チャット可能な状態とする。
これにより、ユーザは、近距離通信用のアプリケーションの起動操作および通信相手の指定操作を行うといった、通常、近距離通信を行う際の操作よりも簡単な操作で、他の携帯端末装置１１０のユーザとの間で近距離通信を行うことができる。
【００８４】
また、電子メールボタンに対するタッチ操作など、電子メールボタンを選択する操作が行われると、アプリケーション実行部１１７が電子メールアプリケーションを起動し、他の携帯端末装置１１０のメールアドレスを入力済みの電子メール作成画面を、表示部１１２に表示させる。
これにより、ユーザは、電子メールアプリケーションを起動し、相手のメールアドレスを入力するといった、通常、電子メールを送信する際の操作よりも簡単な操作で、他の携帯端末装置１１０ユーザに対して電子メールを送信することができる。
【００８５】
同様に、ステップＳ１１３において、携帯端末装置１１０が、他の携帯端末装置１１０のユーザを関連性ポイントによってランキングした一覧表示に加えて、コミュニケーション手段の起動支援を行うようにしてもよい。
【００８６】
例えば、表示部１１２が、図３の画面を表示する際に、さらに、他の携帯端末装置１１０のユーザ毎に、電子メールボタンを表示し、近距離通信可能な相手に対しては、近距離通信ボタンも表示する。
そして、ステップＳ２０１の場合と同様、電子メールボタンや近距離通信ボタンが選択されると、選択されたボタンに応じて、アプリケーションの起動や、近距離通信の確立や、メールアドレスの補充等を行う。
これにより、ユーザは、より簡単な操作で、当該他の携帯端末装置１１０のユーザと通信を行うことができる。
【００８７】
図１５は、サーバ装置１２０が行う処理手順の概略を示すフローチャートである。サーバ装置１２０は、電源を投入（ＯＮ）されて起動すると、同図の処理を開始する。
まず、通信部１２１は、携帯端末装置１１０から送信される信号を待ち受ける（ステップＳ３０１）。携帯端末装置１１０からの信号を受信すると、通信部１２１は、当該信号が一覧表示要求（図１４のステップＳ１１１にて送信される信号）か否かを判定する（ステップＳ３０２）。
【００８８】
一覧表示要求であると判定した場合（ステップＳ３０２：ＹＥＳ）、通信部１２１は、当該信号を関連性取得部１２４に出力する。通信部１２１から出力される信号を受けた関連性取得部１２４は、各携帯端末装置１１０の動作履歴および特徴キーワードを、記憶部１２３から読み出す（ステップＳ３１１）そして、関連性取得部１２４は、一覧表示要求送信元の携帯端末装置１１０と、他の携帯端末装置１１０との関連性情報を、他の携帯端末装置１１０の各々について取得する。例えば、関連性取得部１２４は、図８〜図１３で説明した処理を行うことにより、他の携帯端末装置１１０の各々について関連性情報を取得（生成）する。
そして、関連性取得部１２４は、取得した関連性情報を、通知情報生成部１２５に出力する。
【００８９】
通知情報生成部１２５は、関連性取得部１２４から出力される関連性情報の、近距離通信偶然性とキーワード共通性とに基づいて、他の携帯端末装置１１０（一覧表示要求送信元以外の携帯端末装置１１０）の各々について関連性ポイントを算出し、関連性ポイントに従って、他の携帯端末装置１１０のデータをランキングし（ステップＳ３１３）、一覧表示用データを生成する（ステップＳ３１４）。一覧表示用データには、例えば、携帯端末装置１１０各々の、識別情報（近距離通信用のアドレス情報）や、ユーザの名前や、関連性ポイントや、偶然の地域や、キーワード（特徴キーワードおよび偶然の地域関連キーワード）を含む。
そして、通知情報生成部１２５は、生成した一覧表示用データを通信部１２１に出力し、通信部１２１は、当該一覧表示用データを、一覧表示要求元の携帯端末装置１１０宛に送信する（ステップＳ３１５）。
その後、ステップＳ３０１に戻り、同図の処理を繰り返す。
【００９０】
一方、ステップＳ３０２において、受信信号が一覧表示要求でないと判定した場合（ステップＳ３０２：ＮＯ）、通信部１２１は、当該信号を特徴情報取得部１２２に出力する。この場合、携帯端末装置１１０から送信された信号は、図１４のステップＳ１６２またはステップＳ１９３で送信される動作情報である。
【００９１】
通信部１２１から信号の出力を受けた特徴情報取得部１２２は、当該信号（動作情報）を、記憶部１２３の記憶する動作履歴に追加することにより動作履歴を生成（更新）し、更新後の動作履歴を記憶部１２３に記憶させる（ステップＳ３２１）。
また、動作情報に特徴キーワードが含まれている場合は、特徴情報取得部１２２は、当該特徴キーワードを読み出して記憶部１２３の記憶する特徴キーワードに追加することにより、特徴キーワードを生成（更新）する。そして、特徴情報取得部１２２は、更新後の特徴キーワードを記憶部１２３に記憶させる（ステップＳ３２２）。
【００９２】
その後、特徴情報取得部１２２は、動作情報を関連性取得部１２４に出力する。特徴情報取得部１２２から動作情報の出力を受けた関連性取得部１２４は、当該動作情報に含まれる処理の種類が自動近距離通信か否かを判定する（ステップＳ３２３）。
自動近距離通信であると判定した場合（ステップＳ３２３：ＹＥＳ）、特徴情報取得部１２２は、動作情報送信元の携帯端末装置１１０の動作履歴および特徴キーワードと、通信相手の携帯端末装置１１０の動作履歴および特徴キーワードとを、記憶部１２３から読み出す（ステップＳ３３１）。
そして、特徴情報取得部１２２は、読み出したこれらの情報に基づいて、動作情報送信元の携帯端末装置１１０と通信相手の携帯端末装置１１０との関連性情報を取得する（ステップＳ３３２）。例えば、関連性取得部１２４は、図８〜図１３で説明した処理を行うことにより関連性情報を取得（生成）する。
そして、関連性取得部１２４は、取得した関連性情報を、通知情報生成部１２５に出力する。
【００９３】
通知情報生成部１２５は、関連性取得部１２４から出力される関連性情報の、近距離通信偶然性とキーワード共通性とに基づいて関連性ポイントを算出し、当該関連性ポイントが所定の閾値以上か否かを判定する（ステップＳ３３３）。
閾値以上であると判定した場合（ステップＳ３３３：ＹＥＳ）、通知情報生成部１２５は、関連性情報に基づいて、図２で説明したような、近距離通信可能であることを通知する画面を表示するための表示用データを生成する（ステップＳ３４１）。表示用データには、例えば、通信相手の携帯端末装置１１０の、識別情報（近距離通信用のアドレス情報）や、ユーザの名前や、関連性ポイントや、偶然の地域や、キーワード（特徴キーワードおよび偶然の地域関連キーワード）を含む。
そして、通知情報生成部１２５は、生成した表示用データを通信部１２１に出力し、通信部１２１は、当該表示用データを、動作情報送信元の携帯端末装置１１０宛に送信する（ステップＳ３４２）。
その後、ステップＳ３０１に戻り、同図の処理を繰り返す。
【００９４】
一方、ステップＳ３２３において、自動近距離通信でないと判定した場合（ステップＳ３２３：ＮＯ）、ステップＳ３０１に戻り、同図の処理を繰り返す。
一方、ステップＳ３３３において、閾値未満であると判定した場合（ステップＳ３３３：ＮＯ）、通知情報生成部１２５は、表示を行わないよう指示する信号を生成し、通信部１２１に出力する。通信部１２１は、当該信号を、動作情報送信元の携帯端末装置１１０宛に送信する（ステップＳ３５１）。
その後、ステップＳ３０１に戻り、同図の処理を繰り返す。
【００９５】
以上のように、特徴情報取得部１２２が、携帯端末装置１１０のユーザに関連する特徴情報として動作履歴や特徴キーワードを生成し、関連性取得部１２４が、ある携帯端末装置１１０のユーザと他の携帯端末装置１１０のユーザとの関連性を示す関連性情報を生成し、表示部１１２が、自らの携帯端末装置１１０のユーザと他の携帯端末装置１１０のユーザとの関連性を示す情報を表示する。
これにより、ユーザは、情報を予め登録しておく負担なしにコミュニケーションの支援を受けることができる。したがって、当該ユーザがコミュニケーション支援システム１によって支援を受けられるコミュニケーションの相手が、ユーザが予め登録した情報に該当する相手に限られるという制約を排除できる。
【００９６】
また、関連性取得部１２４が、近距離通信の履歴に基づいて、ある携帯端末装置１１０のユーザと他の携帯端末装置１１０のユーザとの関連性を示す関連性情報を生成するので、ユーザは、好みの共通性以外にも、他のユーザとの共通性を得ることができる。
【００９７】
また、関連性取得部１２４が、近距離通信の偶然の度合いを示す近距離通信偶然性を求め、通知情報生成部１２５が、当該近距離通信偶然性の高いユーザについて、近距離通信可能の表示を行うよう決定する。近距離通信偶然性の高いユーザは、コミュニケーションの支援を受けるユーザにとって意外な接近をしている相手であり、当該相手の存在に気付いていない可能性がある。従って、コミュニケーション支援システム１が、ユーザに対して新たな出会いを提供できることを期待できる。
【００９８】
また、関連性取得部１２４が、位置情報を含む近距離通信の履歴に基づいて、近距離通信偶然性を取得することにより、コミュニケーションの支援を受けるユーザは、普段生活している地域以外の地域における、他のユーザとの接近を知ることができる。この普段生活している地域以外の地域は、旅先など、コミュニケーションの支援を受けるユーザの印象に残っている地域であることが期待でき、当該ユーザが話題を見つけられることを期待できる。
【００９９】
また、通知情報生成部１２５が、特徴キーワードの共通するユーザと近距離通信可能であることを通知するよう決定するので、ユーザは、情報を予め登録しておく負担なしに、好みの共通する相手とコミュニケーションの支援を受けることができる。
【０１００】
また、携帯端末装置１１０が、他の携帯端末装置１１０と近距離通信可能なタイミングで近距離通信可能であることを通知することにより、ユーザは、直ちに他のユーザとの通信を試みることができる。
【０１０１】
また、携帯端末装置１１０が、他の携帯端末装置１１０の情報を一覧表示することにより、ユーザは、通信相手を選択することができる。
【０１０２】
＜第２の実施形態＞
なお、コミュニケーション支援システムがサーバ装置を具備しない構成においても、上記と同様のコミュニケーション支援サービスを提供し得る。
図１６は、本発明の第２の実施形態における、サーバ装置を具備しないコミュニケーション支援システムの概略構成を示す構成図である。同図において、コミュニケーション支援システム２は、携帯端末装置（第１の携帯端末装置）２１０−１と、携帯端末装置（第２の携帯端末装置、他の携帯端末装置）２１０−２とを具備する。また、携帯端末装置２１０−１と、携帯端末装置２１０−２とは、ネットワーク１３０に接続されて互いに通信を行う。
携帯端末装置２１０−１および２１０−２は、それぞれ、操作入力部１１１と、表示部１１２と、位置情報取得部１１３と、動作情報取得部１１４と、ネットワーク通信部１１５と、近距離通信部１１６と、アプリケーション実行部１１７と、特徴情報取得部１２２と、記憶部１２３と、関連性取得部１２４と、通知情報生成部１２５とを具備する。
【０１０３】
コミュニケーション支援システム１の場合と同様、コミュニケーション支援システム２の具備する携帯端末装置はいずれも同様の構造および同様の機能を有している。以下では、コミュニケーション支援システム２の具備する携帯端末装置をまとめて携帯端末装置２１０と表記する。携帯端末装置２１０は、近距離通信手段を備え、かつ、携帯可能な機器であり、例えば、携帯端末装置またはＰＤＡ（Personal Digital Assistant）として実現される。
なお、コミュニケーション支援システム２の具備する携帯端末装置２１０の数は、同図に示す２つに限らず、２つ以上であればよい。
【０１０４】
図１６において、図１の各部に対応し、同様の機能を有する部分には、同一の符号（１１１〜１１７、１２２〜１２５、１３０）を付し、説明を省略する。携帯端末装置２１０の各部の機能は、コミュニケーション支援システム１における携帯端末装置１１０またはサーバ装置１２０の各部の機能と同様である。ただし、携帯端末装置２１０の具備する記憶部１２３は、自らの携帯端末装置２１０の動作履歴および特徴キーワードのみを記憶しており、他の携帯端末装置２１０の動作履歴および特徴キーワードは記憶していない。
【０１０５】
次に、図１７を参照してコミュニケーション支援システム２の動作について説明する。
図１７は、携帯端末装置２１０が行う処理手順の概略を示すフローチャートである。携帯端末装置２１０は、電源を投入（ＯＮ）されて起動すると、同図の処理を開始する。
ステップＳ５０１〜Ｓ５０２は、図１４のステップＳ１０１〜Ｓ１０２と同様である。
ステップＳ５１１において、関連性取得部１２４は、自らの携帯端末装置１１０の動作履歴と特徴キーワードとを読み出す。そして、ステップＳ５１２において、関連性取得部１２４は、ネットワーク通信部１１５を介して他の携帯端末装置１１０の各々と通信を行い、各々の動作履歴と特徴キーワードとを取得する。
【０１０６】
なお、関連性取得部１２４が、他の携帯端末装置１１０の各々から動作履歴と特徴キーワードとを取得する方法は、ネットワーク通信部１１５を介して通信を行う方法に限らない。例えば、携帯端末装置１１０（近距離通信部１１６）が、他の携帯端末装置１１０と自動近距離通信を行う際に、当該他の携帯端末装置から動作履歴や特徴キーワードを取得するなど、他の携帯端末装置からデータ取得可能な様々な方法を用いることができる。
【０１０７】
ステップＳ５１３〜Ｓ５１５は、図１５のステップＳ３１２〜Ｓ３１４と同様である。また、ステップＳ５１５は、図１４のステップＳ１１３と同様である。
また、ステップＳ５２１、Ｓ５３１、Ｓ５４１、Ｓ５５１、Ｓ５６１は、それぞれ、図１４のステップＳ１２１、Ｓ１３１、Ｓ１４１、Ｓ１５１、Ｓ１６１と同様である。また、ステップＳ５６２〜Ｓ５６３は、図１５のステップＳ３２１〜Ｓ３２２と同様である。ステップＳ５６３の後、ステップＳ５０１に戻り、同図の処理を繰り返す。
【０１０８】
ステップＳ５７１、Ｓ５８１、Ｓ５８２、Ｓ５９１〜Ｓ５９２は、それぞれ図１４のステップＳ１７１、Ｓ１８１、Ｓ１８２、Ｓ１９１〜Ｓ１９２と同様である。また、ステップＳ５９３〜Ｓ５９４は、図１５のステップＳ３２１〜Ｓ３２２と同様である。
ステップＳ５９５において、関連性取得部１２４は、自らの携帯端末装置１１０の動作履歴と特徴キーワードとを読み出す。また、関連性取得部１２４は、ネットワーク通信部１１５を介して自動近距離通信における通信相手の携帯端末装置１１０と通信を行い、当該携帯端末装置１１０の動作履歴と特徴キーワードとを取得する。
【０１０９】
なお、ステップＳ５１２の場合と同様、ステップＳ５９５においても、関連性取得部１２４が、他の携帯端末装置１１０の各々から動作履歴と特徴キーワードとを取得する方法は、ネットワーク通信部１１５を介して通信を行う方法に限らない。例えば、携帯端末装置１１０が、通信相手の携帯端末装置１１０と自動近距離通信を行って、当該通信相手の携帯端末装置から動作履歴や特徴キーワードを取得するなど、他の携帯端末装置からデータ取得可能な様々な方法を用いることができる。
【０１１０】
ステップＳ５９６〜Ｓ５９７、Ｓ６０１は、それぞれ、図１５のステップＳ３３２〜Ｓ３３３、Ｓ３４１と同様である。ステップＳ６０１は、図１４のステップＳ２０１と同様である。また、ステップＳ５９７で閾値未満であると判定した場合（ステップＳ５９７：ＮＯ）、ステップＳ５０１に戻り、同図の処理を繰り返す。
【０１１１】
以上により、コミュニケーション支援システム２も、コミュニケーション支援システム１の場合と同様にコミュニケーションの支援を行うことができ、上記と同様の効果を得られる。
【０１１２】
なお、サーバ装置１２０はコンピュータにて実現できる。従って、サーバ装置１２０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１１３】
以上、本発明の実施形態を図面を参照して詳述してきたが、具体的な構成はこの実施形態に限られるものではなく、この発明の要旨を逸脱しない範囲の設計変更等も含まれる。
【０１１４】
以下、本発明の諸態様を付記にて示す。
（付記１）第１の携帯端末装置の動作情報を取得する動作情報取得ステップと、
前記第１の携帯端末装置の動作情報から、前記第１の携帯端末装置のユーザに関連する特徴情報を取得する特徴情報取得ステップと、
前記第１の携帯端末装置のユーザに関連する特徴情報に基づいて、前記第１の携帯端末装置のユーザと、他の携帯端末装置のユーザとの関連性を求める関連性取得ステップと、
前記第１の携帯端末装置のユーザと、他の携帯端末装置のユーザとの関連性を示す情報を、前記第１の携帯端末装置または前記他の携帯端末装置が表示する表示ステップと、
を具備し、
前記第１の携帯端末装置が近距離通信可能な携帯端末装置を検出する通信相手検出ステップと、
前記関連性取得ステップにて得られる、前記第１の携帯端末装置のユーザと、他の携帯端末装置のユーザとの関連性が、所定の関連性であるか否かを判定する関連性判定ステップと、
をさらに具備し、
前記関連性取得ステップにて、前記通信相手検出ステップで検出される前記前記第１の携帯端末装置が近距離通信可能な携帯端末装置を前記他の携帯端末装置として、前記第１の携帯端末装置のユーザと、他の携帯端末装置のユーザとの関連性を求め、
前記関連性判定ステップにて所定の関連性であると判定されると、前記表示ステップにて、前記第１の携帯端末装置と、前記通信相手検出ステップで検出される前記前記第１の携帯端末装置が近距離通信可能な携帯端末装置である前記他の携帯端末装置とが、近距離通信可能であることを表示する、
ことを特徴とするコミュニケーション支援方法。
【０１１５】
（付記２）第１の携帯端末装置の動作情報を取得する動作情報取得ステップと、
前記第１の携帯端末装置の動作情報から、前記第１の携帯端末装置のユーザに関連する特徴情報を取得する特徴情報取得ステップと、
前記第１の携帯端末装置のユーザに関連する特徴情報に基づいて、前記第１の携帯端末装置のユーザと、他の携帯端末装置のユーザとの関連性を求める関連性取得ステップと、
前記第１の携帯端末装置のユーザと、他の携帯端末装置のユーザとの関連性を示す情報を、前記第１の携帯端末装置または前記他の携帯端末装置が表示する表示ステップと、
を具備し、
前記表示ステップにて、前記第１の携帯端末装置のユーザと、複数の前記他の携帯端末装置のユーザとの関連性を示す情報を一覧表示する、
ことを特徴とするコミュニケーション支援方法。
【０１１６】
（付記３）前記表示ステップにて、前記第１の携帯端末装置のユーザと、複数の前記他の携帯端末装置のユーザとの関連性に基づいて、前記第１の携帯端末装置のユーザと、複数の前記他の携帯端末装置のユーザとの関連性を示す情報を順序付けて表示する、
ことを特徴とする付記２に記載のコミュニケーション支援方法。
【０１１７】
（付記４）前記特徴情報取得ステップにて、前記第１の携帯端末装置の近距離通信履歴を生成し、
前記関連性取得ステップにて、前記第１の携帯端末装置の近距離通信履歴に基づいて、前記第１の携帯端末装置のユーザと、他の携帯端末装置のユーザとの関連性を求める、
ことを特徴とする付記１から３のいずれか一項に記載のコミュニケーション支援方法。
【０１１８】
（付記５）前記関連性取得ステップにて、前記第１の携帯端末装置の近距離通信履歴に基づく近距離通信の偶然の度合いを示す指標である近距離通信偶然性を取得し、
前記近距離通信偶然性に基づいて、近距離通信における通信相手の携帯端末装置のユーザとの関連性を表示するか否かを決定する判定ステップを具備し、
前記判定ステップにて表示すると決定した場合に、前記表示ステップにて、前記近距離通信における通信相手の携帯端末装置を前記他の携帯端末装置として、前記第１の携帯端末装置のユーザと、他の携帯端末装置のユーザとの関連性を示す情報を表示する、
ことを特徴とする付記４に記載のコミュニケーション支援方法。
【０１１９】
（付記６）前記第１の携帯端末装置の位置情報を取得する位置情報取得ステップを具備し、
前記特徴情報取得ステップにて、前記第１の携帯端末装置の位置情報を含む前記第１の携帯端末装置の近距離通信履歴を生成し、
前記関連性取得ステップにて、前記第１の携帯端末装置の位置情報に基づいて前記近距離通信偶然性を取得する、
ことを特徴とする付記５に記載のコミュニケーション支援方法。
【０１２０】
（付記７）前記他の携帯端末装置の動作情報を取得する第２の動作情報取得ステップと、
前記他の携帯端末装置の動作情報から、前記他の携帯端末装置のユーザの行動の特徴を示すキーワードを取得する第２の特徴量情報取得ステップを具備し、
前記特徴情報取得ステップにて、前記第１の携帯端末装置のユーザの行動の特徴を示すキーワードを取得し、
前記関連性取得ステップにて、前記第１の携帯端末装置のユーザの行動の特徴と、前記他の携帯端末装置のユーザの行動の特徴との類似度を示す指標である行動共通性を取得し、
前記表示ステップにて、前記行動共通性が所定以上の共通性を示す前記他の携帯端末装置のユーザを示す情報を表示する、
ことを特徴とする付記１から３のいずれか一項に記載のコミュニケーション支援方法。
【０１２１】
（付記８）携帯端末装置であって、
前記携帯端末装置自らの動作情報を取得する動作情報取得部と、
前記携帯端末装置自らの動作情報から、前記携帯端末装置自らのユーザに関連する特徴情報を取得する特徴情報取得部と、
前記携帯端末装置自らのユーザに関連する特徴情報に基づいて、前記携帯端末装置自らのユーザと、他の携帯端末装置のユーザとの関連性を求める関連性取得部と、
前記携帯端末装置自らのユーザと、他の携帯端末装置のユーザとの関連性を示す情報を表示する表示部と、
を具備することを特徴とする携帯端末装置。
【０１２２】
（付記９）
前記特徴情報取得部は、前記携帯端末装置自らの近距離通信履歴を生成し、
前記関連性取得部は、前記携帯端末装置自らの近距離通信履歴に基づいて、前記携帯端末装置自らのユーザと、他の携帯端末装置のユーザとの関連性を求める、
ことを特徴とする付記８に記載の携帯端末装置。
【０１２３】
（付記１０）前記関連性取得部は、前記携帯端末装置自らの近距離通信履歴に基づく近距離通信の偶然の度合いを示す指標である近距離通信偶然性を取得し、
前記近距離通信偶然性に基づいて、近距離通信における通信相手の携帯端末装置のユーザとの関連性を表示するか否かを決定する判定ステップを具備し、
前記判定ステップにて表示すると決定した場合に、前記表示ステップにて、前記近距離通信における通信相手の携帯端末装置を前記他の携帯端末装置として、前記第１の携帯端末装置のユーザと、他の携帯端末装置のユーザとの関連性を示す情報を表示する、
ことを特徴とする付記９に記載の携帯端末装置。
【０１２４】
（付記１１）前記携帯端末装置自らの位置情報を取得する位置情報取得部を具備し、
前記特徴情報取得部は、前記携帯端末装置自らの位置情報を含む前記携帯端末装置自らの近距離通信履歴を生成し、
前記関連性取得部は、前記携帯端末装置自らの位置情報に基づいて前記近距離通信偶然性を取得する、
ことを特徴とする付記１０に記載の携帯端末装置。
【０１２５】
（付記１２）携帯端末装置であって、
前記携帯端末装置自らの動作情報を取得する動作情報取得部と、
前記携帯端末装置自らの動作情報から、前記携帯端末装置自らのユーザに関連する特徴情報を取得する特徴情報取得部と、
前記携帯端末装置自らのユーザに関連する特徴情報に基づいて、前記携帯端末装置自らのユーザと、他の携帯端末装置のユーザとの関連性を求める関連性取得部と、
前記携帯端末装置自らのユーザと、他の携帯端末装置のユーザとの関連性を示す情報を表示する表示部と、
を具備し、
前記他の携帯端末装置の動作情報を受信する受信部をさらに具備し、
前記特徴量取得部は、
前記特徴情報取得部は、前記携帯端末装置自らの動作情報から、前記携帯端末装置自らのユーザの行動の特徴を示すキーワードを取得し、前記他の携帯端末装置の動作情報から、前記他の携帯端末装置のユーザの行動の特徴を示すキーワードを取得し、
前記関連性取得部は、前記携帯端末装置自らのユーザの行動の特徴と、前記他の携帯端末装置のユーザの行動の特徴との類似度を示す指標である行動共通性を取得し、
前記表示部は、前記行動共通性が所定以上の共通性を示す前記他の携帯端末装置のユーザを示す情報を表示する、
ことを特徴とする携帯端末装置。
【０１２６】
（付記１３）第１の携帯端末装置から送信される当該第１の携帯端末装置の動作情報を受信する受信部と、
前記第１の携帯端末装置の動作情報から、前記第１の携帯端末装置のユーザに関連する特徴情報を取得する特徴情報取得部と、
前記第１の携帯端末装置のユーザに関連する特徴情報に基づいて、前記第１の携帯端末装置のユーザと、他の携帯端末装置のユーザとの関連性を求める関連性取得部と、
前記第１の携帯端末装置のユーザと、他の携帯端末装置のユーザとの関連性を示す情報を、前記第１の携帯端末装置または前記他の携帯端末装置に送信する送信部と、
を具備し、
前記特徴情報取得部は、前記第１の携帯端末装置の近距離通信履歴を生成し、
前記関連性取得部は、前記第１の携帯端末装置の近距離通信履歴に基づいて、前記第１の携帯端末装置のユーザと、他の携帯端末装置のユーザとの関連性を求める、
ことを特徴とするサーバ装置。
【０１２７】
（付記１４）前記関連性取得部は、前記第１の携帯端末装置の近距離通信履歴に基づく近距離通信の偶然の度合いを示す指標である近距離通信偶然性を取得し、
前記近距離通信偶然性に基づいて、近距離通信における通信相手の携帯端末装置のユーザとの関連性を表示するか否かを決定する判定ステップを具備し、
前記判定ステップにて表示すると決定した場合に、前記表示ステップにて、前記近距離通信における通信相手の携帯端末装置を前記他の携帯端末装置として、前記第１の携帯端末装置のユーザと、他の携帯端末装置のユーザとの関連性を示す情報を表示する、
ことを特徴とする付記１３に記載のサーバ装置。
【０１２８】
（付記１５）前記受信部は、前記第１の携帯端末装置の位置情報を受信し、
前記特徴情報取得部は、前記第１の携帯端末装置の位置情報を含む前記第１の携帯端末装置の近距離通信履歴を生成し、
前記関連性取得部は、前記第１の携帯端末装置の位置情報に基づいて前記近距離通信偶然性を取得する、
ことを特徴とする付記１４に記載のサーバ装置。
【０１２９】
（付記１６）第１の携帯端末装置から送信される当該第１の携帯端末装置の動作情報を受信する受信部と、
前記第１の携帯端末装置の動作情報から、前記第１の携帯端末装置のユーザに関連する特徴情報を取得する特徴情報取得部と、
前記第１の携帯端末装置のユーザに関連する特徴情報に基づいて、前記第１の携帯端末装置のユーザと、他の携帯端末装置のユーザとの関連性を求める関連性取得部と、
前記第１の携帯端末装置のユーザと、他の携帯端末装置のユーザとの関連性を示す情報を、前記第１の携帯端末装置または前記他の携帯端末装置に送信する送信部と、
を具備し、
前記受信部は、前記他の携帯端末装置から送信される当該他の携帯端末装置の動作情報を受信し、
前記特徴情報取得部は、前記第１の携帯端末装置の動作情報から、前記第１の携帯端末装置のユーザの行動の特徴を示すキーワードを取得し、前記他の携帯端末装置の動作情報から、前記他の携帯端末装置のユーザの行動の特徴を示すキーワードを取得し、
前記関連性取得部は、前記第１の携帯端末装置のユーザの行動の特徴と、前記他の携帯端末装置のユーザの行動の特徴との類似度を示す指標である行動共通性を取得し、
前記送信部は、前記行動共通性が所定以上の共通性を示す前記他の携帯端末装置のユーザを示す情報を、前記第１の携帯端末装置または前記他の携帯端末装置に送信する、
ことを特徴とするサーバ装置。
【符号の説明】
【０１３０】
１、２  コミュニケーション支援システム
１１０−１、１１０−２、２１０−１、２１０−２  携帯端末装置
１１１  操作入力部
１１２  表示部
１１３  位置情報取得部
１１４  動作情報取得部
１１５  ネットワーク通信部
１１６  近距離通信部
１１７  アプリケーション実行部
１２０  サーバ装置
１２１  通信部
１２２  特徴情報取得部
１２３  記憶部
１２４  関連性取得部
１２５  通知情報生成部
【図１】
2012208779.tif 000003
【図２】
2012208779.tif 000004
【図３】
2012208779.tif 000005
【図４】
2012208779.tif 000006
【図５】
2012208779.tif 000007
【図６】
2012208779.tif 000008
【図７】
2012208779.tif 000009
【図８】
2012208779.tif 000010
【図９】
2012208779.tif 000011
【図１０】
2012208779.tif 000012
【図１１】
2012208779.tif 000013
【図１２】
2012208779.tif 000014
【図１３】
2012208779.tif 000015
【図１４】
2012208779.tif 000016
【図１５】
2012208779.tif 000017
【図１６】
2012208779.tif 000018
【図１７】
2012208779.tif 000019